(57)【要約】【課題】音質を改善するためにスーパーツィーターをヘッドホンやイヤホンのケーブルに接続する場合、従来のスーパーツィーターではケーブルから大きくはみ出して美観を損ねる上、重くなる。小型軽量で美的違和感をなくし、商品性を高める事が課題である。【解決手段】電気機械変換フィルムの両面に電極を形成した振動板を、先端が音響出力手段である平行ケーブルの片方のケーブルに巻き付けて筒状にし、他方のケーブルは外側電極の上に重ねる。両ケーブルと両電極を接触させて、電気的導通をとる事でケーブルにスーパーツィーター組み込み課題を解決した。【選択図】  図１
2014207633.tif 000002
【特許請求の範囲】
【請求項１】
フィルムの厚み方向に電圧を加えると、該厚み方向の厚み、あるいは面方向の長さが変化する電気機械変換フィルムの内側面と外側面の両面に、該内側面には内側電極を形成し、該外側面には外側電極を該内側電極と相対峙して形成した振動板と、少なくともプラス線とマイナス線の平行線あるいは同軸線からなるケーブルの一端に音信号出力手段を付け、該プラス線あるいは該マイナス線を軸線とし、他方を外線として、該軸線に該振動板を筒状に巻き付け、固定手段で該振動板を筒状に保つと共に、該内側電極と該軸線を接触固定させて電気的に導通を取り、該外線を該外側電極の上に乗せて、該外側電極と該外線を接触手段で接触させて電気的に導通を取る事で、機械的にも電気的にも該ケーブルに該振動板を組み込む構造であって、該軸線と該外線に交番電気信号が流れると、該交番電気信号は該音信号出力手段に入力すると同時に、該振動板にも入力して該振動板を振動させて音波を発生するケーブルから音波を発生する電気音響変換器。
【請求項２】
該固定手段と該接触手段のどちらか、あるいはどちらも、該軸線の周りに巻かれた該振動板あるいは該外線の上から紐を巻き付けて締める手段である請求項１に記載のケーブルから音波を発生する電気音響変換器。
【請求項３】
該音信号出力手段がヘッドホンあるいはイヤホンである請求項１または請求項２に記載のケーブルから音波を発生する電気音響変換器。
【請求項４】
該音信号出力手段が音響機器に接続するコネクターである請求項１または請求項２に記載のケーブルから音波を発生する電気音響変換器。
【発明の詳細な説明】
【技術分野】
【０００１】
圧電フィルムもそのカテゴリーの中に含まれる電気機械変換フィルムに電極を形成し、円筒形状や波形状あるいは半円筒形状に成型して振動板とする。そしてその振動板に、交番電気信号を入力して振動板から音波を発生する電気音響変換器に関する。
【背景技術】
【０００２】
従来、圧電フィルムなど電気機械変換フィルムを使用した電気音響変換器には、円筒状のスポンジに、両面に電極を形成した圧電フィルムを巻き付け、両面の電極にプラスとマイナスのリード線を接続したスピーカーがある。また、両面に電極を形成した圧電フィルムを波形状あるいは半円筒形状に成型し、両面の電極にプラスとマイナスのリード線を付けて接続したスピーカーがある。
【０００３】
一方、本発明者は以前から、この圧電フィルムを使用したスピーカーを、主に超音波領域の音を再生するスーパーツィーターとして特許出願し、販売も行っている。また、本発明者は、スーパーツィーターが発する超音波領域の音は、耳からだけでなく、顔などの皮膚を通しても感じていて、耳から入る音をさらに鮮やかにして、臨場感を与えていると説明してきている。そして、その具体的な応用として、上記したスーパーツィーターをヘッドホンのキャビネットの外側に設置し、キャビネットの外側から顔に向けて超音波が照射するヘッドホンを商品化している。また、スーパーツィーターをイヤホンのケーブルに接続する特許も出願している。
【先行技術文献】
【特許文献】
【０００４】
【特許文献１】特許第３８２０８５１号
【特許文献２】特許第３９１９６９５号
【発明の概要】
【発明が解決しようとする課題】
【０００５】
本発明者が出願した特願２００９−２２９５１４では、主に２０ｋＨｚ以上の周波数領域を再生するスーパーツィーターをヘッドホンやイヤホンのケーブルに接続して外部スーパーツィーターとした発明である。そして、外部スーパーツィーターは従来のスーパーツィーターの構造を採用している。ところが従来のスーパーツィーターをできるだけ小さくしてケーブルに接続しても、ケーブルから大きくはみ出して美観を損ねるし、質量も重い。ケーブルに付けても美的違和感がない小型軽量の外部スーパーツィーターにして商品性を高める事が課題である。
【課題を解決するための手段】
【０００６】
上記課題を解決するため、両面に電極を形成した電気機械変換フィルムで作成した振動板を、先端が音信号出力手段である平行ケーブルの片方のケーブルである軸線に巻き付けて筒状にして固定する。また、他方のケーブルである外線は振動板の外側に乗せる。そして平行ケーブルの軸線と外線を両電極にそれぞれ接触させて電気的導通をとる。こうして、ほぼケーブル太さの外部スーパーツィーターをケーブルに組み込んで課題を解決した。本発明は、ケーブルに組み込んだ筒状の外部スーパーツィーターと音出力手段の付いたケーブルである特徴がある。
【０００７】
また、本発明は機械変換フィルムを筒状にした振動板をケーブルに固定するために、ケーブルの軸線に振動板を筒状に巻き付け、その上から紐やワイヤなどを巻き付けて締める特徴がある。
【０００８】
また、本発明は、ケーブルの先端の音信号出力手段がヘッドホンあるいはイヤホンである特徴がある。
【０００９】
また、本発明はこのケーブルの先端をヘッドホンやイヤホンなど音響機器に接続するためのコネクターにした特徴がある。
【発明の効果】
【００１０】
従来、イヤホンにポータブル外部スーパーツィーターを設置する場合、イヤホンキャビネットに取り付けたり、ケーブルに接続すると、かさばるし、重くなる。それを避けるために、外部スーパーツィーターを携帯音楽プレーヤーに直接接続する製品も販売している。しかし携帯音楽プレーヤーはポケットやカバンなどに入れた状態で使用される場合が多くあり、その場合は外部スーパーツィーターから発する超音波もポケットやかばんで遮断されてスーパーツィーターの効果がなくなってしまう。フィルム状の振動板をイヤホンケーブルに巻き付ける本発明は、小型軽量で、太さもケーブルの太さと余り違わない筒状にできる。それは、ケーブルに外部スーパーツィーターを組み込んだ感覚であり、見た目も違和感がなく、商品性が大きく向上する効果がある。
【００１１】
振動板の電極とケーブルを電気的に接続するためには、互いにしっかりと接触させる必要がある。本発明では、振動板をケーブルに巻き付けた後、振動板の上から紐で締める。すると、振動板をケーブルに固定すると共に、形状も筒状を保つ事ができるし、電極とケーブルをしっかりと接触させて電気的接続を事ができる効果がある。
【００１２】
本発明を適用した外部スーパーツィーターをイヤホンやヘッドホンのケーブルに仕込んで小型軽量化すると、携帯機器で音を聴く場合のポータブル性が各段に高まる効果がある。  
【００１３】
一方、ヘッドホンやイヤホンやアンプ等の音響機器には、コネクターが付いていて、ケーブルが機械的にも電気的にも着脱可能になった製品がある。そのような製品では、音質改善のためにケーブルを取り替えるリケーブルが一般的に行われている。そこで、音響機器に着脱できるケーブルの先端を音信号出力手段である着脱式のコネクターにする。すると、ヘッドホンやイヤホン等の音響機器を、外部スーパーツィーターの付いた音響機器に容易にグレードアップできる効果がある。
【図面の簡単な説明】
【００１４】
【図１】本発明実施例１の正面図である。
【図２】実施例２の正面図である。
【図３】実施例３の正面図である。
【発明を実施するための形態】
【００１５】
電気機械変換フィルムの両面に電極を形成した振動板を、先端が音信号出力手段である平行ケーブルの片方のケーブルに巻き付けて筒状にして固定する。他方のケーブルは外側の電極の上に乗せて固定する。そして両電極に平行ケーブルをそれぞれ接触させて電気的導通をとり、ほぼケーブル太さの外部スーパーツィーターをケーブルに組み込む。
【実施例１】
【００１６】
次に、添付図面に従い、本発明の実施例１を詳細に説明する。図１は本発明の実施例１における電気音響変換器の正面図である。図１に示すように、電気機械変換フィルム１の内側面２と外側面３の両面に蒸着あるいは印刷などの手段で内側電極４と外側電極５を形成して振動板６を作成する。内側面２と外側面３の全面に電極を形成しても良いが、一部電極を形成しない部分があっても良い。内側電極４と外側電極５は、電気機械変換フィルム１をはさんで互いに対峙する。そして、振動板６を軸線７の周りに巻いて筒状にする。次に筒状にした振動板６の上から固定手段である紐８を巻き付けて締める。すると、軸線７と内側電極４は固定点９で固定し、電気的導通も取る事ができる。一方、外線１０は外側電極５の上に乗せ、その上から紐８で締める事で、外側電極５と外線１０は接触点１１で接触固定されて電気的導通も取る事ができる。図１では紐８は一本だけ描いている。但し、図面には示さないが、軸線７と内側電極４を締める紐８と、外側電極５と外線１０を締める紐が別の紐であっても発明の趣旨は同じである。
この軸線７と外線１０の片方の先端１２、１３は音信号入力側であるが、図１に示すように裸線であっても、あるいは図には示さないが、プラグなどのコネクターで構成しても良い。軸線７と外線１０の他方の先端１４、１５には音信号出力手段１６を取り付ける。音信号出力手段１６は、ヘッドホンやスピーカーやアンプなどの音響機器である。またこれらの音響機器に容易に着脱できる構造になっているコネクターなどの電気部品であっても良い。また軸線７と外線１０は２本の平行線になっていて、交番電気信号を通すケーブルであるが、必ずしも２本である必要はなく、他の信号線が束になっていても本発明の趣旨は同じである。
【００１７】
この構成によって、軸線７と外線１０に音信号であるマイナスとプラスの交番電気信号が入力すると、音信号出力手段１６から音信号が出力可能になる。音信号出力手段１６がスピーカーやヘッドホンであれば音波が出力される。同時に接触点１１から振動板６の外側電極５にプラス信号が入力し、固定点９から内側電極４にマイナス信号が入力する。すると、振動板６は伸縮して音波を発生する。すなわち、音信号出力手段１６に音信号を入力すると同時に、軸線７と外線１０からなるケーブルの太さとほぼ同じ径の筒状の振動板６がケーブルから音波を発生するスピーカーになる。
【００１８】
次に、本発明をケーブル付きのステレオイヤホンに適用した実施例２を図２を用いて詳細に説明する。左イヤホン１７と右イヤホン１８から左ケーブル１９と右ケーブル２０が出ている。そしてその先端２１にはステレオプラグ２２が接続している。さらに、左ケーブル１９は軸線２３と外線２４の平行線であり、上記実施例１を実施している。すなわち、振動板２５を軸線２３に筒状に巻き付け、振動板２５の外側に外線２４を置き、その上から紐２６を巻いて固定している。右ケーブル２０も左ケーブル１９と同様に実施例１を施している。さらに商品性を出すために、図２には示していない振動板の周りに、側面２７に穴２８の開いた筒状の筐体２９を被せる。また、やはり図２には示していない軸線と外線を、ビニール被覆して一本の右ケーブル２０にしている。実際の商品では、左ケーブル１９も右ケーブル２０に施したように、軸線２３と外線２４をまとめてビニールで被覆すると共に、振動板２５の周りに筐体を被せて販売する。
【００１９】
この実施例２の作用を図２を使用して説明する。プラグ２２を音楽プレーヤー３０の信号出力端子３１に挿入して、プラグ２２に音信号が入力すると、軸線２３と外線２４に音信号である交番電気信号が流れる。その信号は左イヤホン１７に入力して音信号である音波が出力される。同時に、振動板２５にも音信号が入力して、振動板２５が伸縮して音波が発生する。振動板２５の形状である筒の直径が小さいので、その音波は主に人間の耳には聞こえない超音波領域の音波である。右イヤホン１８も同様の作用である。ここで左イヤホン１７と右イヤホン１８を耳に挿入して音楽を聴くと、左イヤホン１７と右イヤホン１８から発生する音は耳で聴き、振動板２５及び筐体２９から出てくる超音波は、顔の皮膚を通して聴くことができる。このように耳だけで聴く可聴帯域の音楽に顔の皮膚で聴く超音波領域の音が重畳すると、音楽を鮮やかにすると共に、立体感が出てきて音質を大幅に改善する事ができる。この左イヤホン１７と右イヤホン１８はヘッドホンやスピーカー、さらには、アンプであっても趣旨は同じである。また、モノラルイヤホンやモノラルヘッドホンやモノラルスピーカーであっても同様の効果を発揮する。
【００２０】
次に実施例３を、図３を用いて説明する。軸線３２と外線３３からなる左ケーブル３４の先端３５に音信号出力手段である左オスコネクター３６を接続する。左オスコネクター３６にはピン３７、３８が付いていて、ピン３７は軸線３２と、ピン３８は外線３３と電気的に接続している。同様に右ケーブル３９の先端４０には、右オスコネクター４１が付いていて、構成は左オスコネクター３６と同じである。図３では右ケーブル３９は、商品性上ビニールチューブ４２で被覆し、筐体４３を被せている様子を示している。
【００２１】
この実施例３の作用を、ケーブルが着脱できるイヤホンを用いて、図３を使用して説明する。図３では、左イヤホン４4にはメスコネクター４５が付いていて、左オスコネクター３６と勘合して電気的接続が取れる。右イヤホン４６にはメスコネクター４７が付いていて、右オスコネクター４１と勘合して電気的接続が取れる。すると、実施例２と同じ構成になり、その作用は実施例２とまったく同じである。
【００２２】
図３を使用して、イヤホンに適用した本発明の使用方法を説明したが、イヤホンに置き換えてヘッドホンやスピーカーに適用しても本発明の趣旨は同じである。さらにイヤホンやヘッドホンやスピーカーを接続して駆動するアンプに適用しても本発明の趣旨は同じである。
【産業上の利用可能性】
【００２３】
ヘッドホンやイヤホンそしてスピーカーなどあらかじめ音信号を入力するケーブルが接続されている音響機器。あるいは容易にケーブルを着脱できる音響機器の音の品質を改善する事に利用できる。
【符号の説明】
【００２４】
１ 電気機械変換フィルム
４ 内側電極
５ 外側電極
６ 振動板
７ 軸線
１０ 外線
1６ 音信号出力手段
1７ イヤホン
２０  右ケーブル
３６  左オスコネクター
【図１】
2014207633.tif 000003
【図２】
2014207633.tif 000004
【図３】
2014207633.tif 000005